(57)【要約】  複数の通水パイプ１０により、太陽熱利用装置２に供給される前の原水Ｗを加熱するため、太陽熱の有効利用を図ることができ、反射ミラー１を増設したり、大型化する場合に比べて、コストの面で有利となる。地面Ｇには通水パイプ１おにより太陽光Ｌが遮られる遮光領域ａと、通水パイプ１０の間の所定間隔Ｂを通過した太陽光Ｌにより照らされる照射領域ｂが形成されるため、地面Ｇが受ける日射量を均一の制御することができ、植物栽培と家畜飼育が可能となる
2009044623.tif 000002
【特許請求の範囲】
【請求項１】
原水を、反射ミラーにより集光した太陽光の熱で蒸発させ、その蒸発させた水蒸気を利用して発電又は淡水製造の少なくとも一方を行う太陽熱利用装置を有する太陽熱利用システムであって、
前記太陽熱利用装置に供給される原水を、前記反射ミラーで集光しない日射の太陽光を利用して予め加熱する予熱装置を具備し、
前記予熱装置は、前記太陽熱利用装置に供給される原水の水路を規定する複数の通水パイプを有し、前記通水パイプが受ける太陽熱により内部を通過する原水を加熱するように構成され、
各前記通水パイプは所定幅の長尺筒形状を有し、地面から所定高さ位置において所定間隔をあけて幅方向に複数配置されて下部空間を画成し、その長手方向は太陽の日周運動方向と交差する方向を向き、
前記下部空間には前記複数の通水パイプにより太陽光が遮断される遮光領域と前記所定間隔を通過した太陽光が照射する照射領域とが形成されて日周運動に伴って移動することを特徴とする太陽熱利用システム。
【請求項２】
前記通水パイプが、長手方向で同一の扁平断面形状を有する１つのパイプ本体と、長手方向で同一形状を有するストレート管の両端を塞いで形成した２つのタンク部とから構成され、
タンク部はパイプ本体の幅方向に向けて配置されると共に、タンク部におけるパイプ本体側の側面にパイプ本体の断面形状に相応する連結口が開口形成され、
該連結口にパイプ本体の両端部を差し込んで接続し、一方のタンク部から原水を供給して、他方のタンク部より原水を排出するようにしたことを特徴とする請求項１記載の太陽熱利用システム。
【請求項３】
請求項１又は請求項２記載の太陽熱利用システムを用いた植物栽培方法であって、
太陽の移動に伴って移動する地面の遮光領域及び照射領域を用いることにより地面が受ける日射量を制限して、地面で植物の栽培を行うことを特徴とする太陽熱利用システムを用いた植物栽培方法。
【請求項４】
通水パイプの下面に淡水を地面に散水する散水部を設け、太陽熱利用装置で製造した淡水を該散水部に供給可能にしたことを特徴とする請求項３記載の太陽熱利用システムを用いた植物栽培方法。
【請求項５】
請求項１又は請求項２記載の太陽熱利用システムを用いた家畜飼育方法であって、
太陽の移動に伴って移動する地面の遮光領域及び照射領域を用いることにより地面が受ける日射量を制限して、地面で家畜を飼育することを特徴とする太陽熱利用システムを用いた家畜飼育方法。
【請求項６】
請求項５記載の太陽熱利用システムを用いた家畜飼育方法であって、
太陽の移動に伴って移動する地面の遮光領域及び照射領域を用いることにより地面が受ける日射量を制限して、地面で植物の栽培を行い、
その植物を家畜の餌して飼育することを特徴とする太陽熱利用システムを用いた家畜飼育方法。
【発明の詳細な説明】
【技術分野】
【０００１】
本発明は、太陽熱利用システム及びそれを用いた植物栽培、家畜飼育方法に関するものである。
【背景技術】
【０００２】
現在、大気汚染や地球温暖化などの環境問題から、二酸化炭素を出さないクリーンエネルギーとして、太陽熱を利用した発電方法が各種提案されている。また、地球規模で、飲料、灌漑、畜産などに利用可能な淡水量が減少しているという報告もあり、海水や地下水（塩分などの不純物含む）の原水から、蒸発法により淡水を製造する際にも、太陽熱エネルギーが使用されている。原水を逆浸透膜に通して淡水を製造する場合は、その逆浸透膜に原水を通すための圧力を、太陽エネルギーにより原水を蒸発させ、その蒸気により駆動するポンプにより得ている。いずれの場合も、太陽熱の利用は、各種の反射ミラーを利用して太陽光を集光させ、その集光部における高熱を利用して行われている。例えば、日本国特許公開公報特開２００５−８７８２１号公報に開示されているように、太陽光を反射ミラーで集光する方式を採用している。【０００３】
また、太陽光を集光するための反射ミラーの日陰部分を利用することにより、砂漠地帯など日射量が多い地帯でも、植物栽培や家畜飼育が可能となる。つまり、太陽の移動に伴って、日陰部分が移動することにより、地面が受ける日射量を制限し、地面からの水分の蒸発量及び植物の葉面から蒸散量を制限することで、植物栽培が可能になり、また、日射量を制限することにより、家畜が弱るのを防止でき、家畜の飼育も可能となる。太陽熱により製造した淡水を、この植物栽培や家畜飼育に用いれば、更に好適である。例えば、日本国特許公開公報特開２００６−１２５７００号公報に開示されているように、太陽光を集光するための反射ミラーで日陰部分をつくり、植物栽培や家畜飼育をしている。
【発明の開示】
【０００４】
しかしながら、このような従来の技術にあっては、太陽光を利用して発電や淡水製造を行う場合、地表に無尽蔵に降り注ぐ太陽光のうち、反射ミラーで集光した部分の太陽光しか利用しないため、より大きな熱量を得るには、反射ミラーの数を増やしたり、反射ミラーを大型にする必要があり、コスト的な負担が大きい。
【０００５】
また、反射ミラーの日陰部分を利用して、植物栽培や家畜飼育をする場合も、十分な効果を得るには、どうしても、反射ミラーを大型にする必要があり、やはりコスト的な負担が大きい。また、反射ミラーの日陰部分を利用する場合は、地面にムラができ、均一な日射量の制限が行えず、植物栽培や家畜飼育する場合に最適とは言えない。
【０００６】
課題を解決するための手段
本発明は、このような従来の技術に着目してなされたものであり、反射ミラーを増設したり、大型化することするに比べて、有利なコストで太陽熱の有効利用を図ることができる太陽熱利用システムと、それを用いてコスト的に有利で且つ好適な植物栽培や家畜飼育を行うことができる植物栽培、家畜飼育方法を提供することができる。
【０００７】
本発明の技術的側面によれば、太陽熱利用システムは、塩分その他の不純物を含む原水を、反射ミラーにより集光した太陽光の熱で蒸発させ、その蒸発させた水蒸気を利用して発電又は淡水製造の少なくとも一方を行う太陽熱利用装置を有する太陽熱利用システムであって、前記太陽熱利用装置に供給される原水を、前記反射ミラーで集光しない日射の太陽光を利用して予め加熱する予熱装置を具備し、前記予熱装置は、前記太陽熱利用装置に供給される原水の水路を規定する複数の通水パイプを有し、前記通水パイプが受ける太陽熱により内部を通過する原水を加熱するように構成され、各前記通水パイプは所定幅の長尺筒形状を有し、地面から所定高さ位置において所定間隔をあけて幅方向に複数配置されて下部空間を画成し、その長手方向は太陽の日周運動方向と交差する方向を向き、前記下部空間には前記複数の通水パイプにより太陽光が遮断される遮光領域と前記所定間隔を通過した太陽光が照射する照射領域とが形成されて日周運動に伴って移動することを特徴とする。
【０００８】
本発明の別の技術的側面によれば、植物栽培方法は、前項に記載した太陽熱利用システムを用いたものであって、太陽の移動に伴って移動する地面の遮光領域及び照射領域を用いることにより地面が受ける日射量を制限して、地面で植物の栽培を行うことを特徴とする。
【０００９】
本発明の別の技術的側面によれば、家畜飼育方法は、前項に記載した太陽熱利用システムを用いたものであって、太陽の移動に伴って移動する地面の遮光領域及び照射領域を用いることにより地面が受ける日射量を制限して、地面で家畜を飼育することを特徴とする。
【図面の簡単な説明】
【００１０】
【図１】図１は、本発明の第１実施形態に係る太陽熱利用システムを示す全体斜視図。
【図２】図２は、通水パイプを示す平面図。
【図３】図３は、太陽熱利用装置の内部構造を示す概略図。
【図４】図４は、植物の栽培方法を示す予熱装置の断面図。
【図５】図５は、地面に形成される遮光領域と照射領域を示す予熱装置の断面図。
【図６】図６は、太陽の移動に伴って移動する遮光領域を示す断面図。
【図７】図７は、通水パイプを示す断面図。
【図８】図８は、本発明の第２実施形態に係る通水パイプを示す断面図。
【図９】図９は、本発明の第３実施形態に係る家畜の飼育方法を予熱装置の断面図。
【図１０】図１０は、本発明の第４実施形態に係る通水パイプを示す平面図。
【図１１】図１１は、通水パイプを示す斜視図。
【図１２】図１２は、通水パイプを示す分解斜視図。
【図１３】図１３は、図１１中矢示ＳＡ−ＳＡ線に沿う通水パイプの断面図。
【図１４】図１４は、図１１中矢示ＳＢ−ＳＢ線に沿う通水パイプの断面図。
【発明を実施するための最良の形態】
【００１１】
（第１実施形態）
図１〜図７は、本発明の第１実施形態を示す図である。北半球側では太陽Ｓは南側にあり、日周運動方向Ｄに沿って東から西へ向けて移動する。【００１２】
反射ミラー１は３基設置されている。反射ミラー１は、複数の平面鏡状のミラー体を凹面状に配置したヘリオスタット構造で、太陽Ｓに追従して向きを変え、常に決められた一点に向けて太陽光Ｌを反射するようになっている。ミラー体はそれ自身が凹面鏡であっても良い。【００１３】
反射ミラー１の南側には、反射ミラー１から離れた位置に太陽熱利用装置２が設置されており、この太陽熱利用装置２の一点に向けて３基の反射ミラー１で反射された太陽光Ｌが集光する。【００１４】
図２に、太陽熱利用装置２の構造を示す。反射ミラー１で反射された太陽光Ｌは、太陽熱利用装置２の蒸気発生部３に集光されている。蒸気発生部３には、後述する予熱装置４で加熱された原水Ｗが供給され、内部で加熱されて、ここで水蒸気を発生する。蒸気発生部３に供給される原水Ｗは、塩分その他の不純物を含む海水や地下水である。蒸気を発生して濃縮された原水Ｗは、蒸気発生部３内の原水Ｗの液面を一定に保つように、蒸気発生部３から排出される。【００１５】
なお、本発明において原水Ｗは蒸発法により淡水を製造する前の所与の水であって海水、地下水、湧水を含み塩分などの不純物を含んでもよい。    
蒸気発生部３で発生した水蒸気はタービン５を回転させる。タービン５の回転は発電機６に伝達され、発電機６で発電をする。発電機６で発電された電気Ｅは、バッテリー等の外部電源に供給される。【００１６】
タービン５を回転させた水蒸気は凝縮部７に供給される。凝縮部７の内部には冷却コイル８が設けられている。この冷却コイル８には、予熱装置４に通さない冷たいままの原水Ｗが循環される。従って、タービン５を経た水蒸気をここで冷却して淡水Ｐにすることができる。ここで、製造された淡水Ｐは、いったん貯水槽９に溜められている。【００１７】
＜予熱装置＞
次に、反射ミラー１と太陽熱利用装置２の間の領域を利用して設置された予熱装置４について説明する。予熱装置４は、地面Ｇから所定高さ（例えば２ｍ２０ｃｍ）に支持され原水Ｗの水路を規定する複数の通水パイプ１０から構成されている。通水パイプ１０は、熱伝導性の良いアルミ金属製で、所定の幅（例えば１０〜２０ｃｍ）Ａを有する扁平断面形状で、且つ長手方向Ｙに所定の長さ（例えば４ｍ）を有する長尺筒形状をしている。通水パイプ１０の側面の太陽光が照射される側（以下、上面側という。）には黒色塗装１１が施されている。【００１８】
通水パイプ１０の下面中央には、通水パイプ１０の長手方向Ｙに沿って断面半円状の別の通路を形成する散水部１２が連続形成されている。散水部１２には複数の散水孔１３が形成されている。この散水部１２には、前記貯水槽９に溜められた淡水Ｐが必要に応じて図示せぬポンプにより送られるようになっている。【００１９】
通水パイプ１０は１２本を一群として所定の配列間隔（例えば１０〜２０ｃｍ）Ｂをあけて幅方向Ｘに並べた状態で、支柱１４により支持されている。この実施形態では、通水パイプ１０の幅Ａと、配列間隔Ｂを等しく設定した。各群の通水パイプ１０は、その長手方向両端部がそれぞれ連結され、直列に連結されて１本の水路を規定する。尚、この実施形態の図面では、構造を明瞭に表すため、通水パイプ１０の幅Ａや間隔Ｂを実際よりも大きめに図示している。【００２０】
幅方向Ｘに並んだ１群の通水パイプ１０が、長手方向Ｙに３群並んでいる。通水パイプ１０は、幅方向Ｘが太陽Ｓの日周運動方向Ｄと実質的に一致しており、長手方向Ｙが日周運動方向Ｄに対して直角θをなしている（図２参照）。【００２１】
３群の通水パイプ１０は、それぞれ、群としての入口と出口が連通管１５により接続されており、全体が直列に連結されて供給管１６と排出管１７を結ぶ水路を構成する。従って、一端の供給管１６より供給された原水Ｗは、すべての通水パイプ１０内を通過して、他端の排出管１７より排出される。【００２２】
反射ミラー１と太陽熱利用装置２との間のスペースは、本来、太陽光を遮蔽してはならないためデッドスペースであり、今まで有効利用されていなかった。このスペースに照射する太陽光は反射ミラー１で集光しないため、そのスペースを利用して予熱装置４を設置したものである。【００２３】
通水パイプ１０内を通過する原水Ｗは、通水パイプ１０を通過する間に、通水パイプ１０の表面が受ける太陽熱により加熱される。反射ミラー１の周辺の広範囲に降り注ぐ太陽光Ｌを利用して加熱するため、十分な量の熱量が得られる。通水パイプ１０が扁平断面形状のため、原水Ｗを効果的に加熱することができる。また、通水パイプ１０の上面側には黒色塗装１１が施されているため、太陽熱を効果的に吸収することができる。【００２４】
予熱装置４で加熱された原水Ｗは、前述のように、太陽熱利用装置２へ供給され、反射ミラー１で集光した高熱の太陽光Ｌにより更に加熱され、水蒸気を発生する。太陽熱利用装置２では、反射ミラー１で集光した太陽光Ｌにより、足りない分の熱量を供給するだけで済むため、反射ミラー１を増設したり、大型化する必要がない。反射ミラー１を増設したり、それぞれを大型化する場合に比べて、予熱装置４を設けた方がコストの面で有利となる。【００２５】
＜下部空間＞
予熱装置４を構成する通水パイプ１０は、所定間隔Ｂをあけて幅方向Ｘに複数並べた状態で地面Ｇから所定高さに支持されている。その結果、通水パイプ１０の配列により規定される仮想面により下部空間Ｕが画成される。したがって、下部空間Ｕに面する地面Ｇには、通水パイプ１０により太陽光Ｌが遮られる遮光領域ａと、通水パイプ１０の間の所定間隔Ｂを通過した太陽光Ｌにより照らされる照射領域ｂが交互に形成される。しかも、その通水パイプ１０の長手方向Ｙが太陽Ｓの日周運動方向Ｄと実質的に直交しているため、図６に示すように、地面Ｇに形成される遮光領域ａと照射領域ｂは太陽の移動に伴って移動する。従って、地面Ｇが受ける日射量をムラなく制御することができる。この実施形態では、通水パイプ１０の幅Ａと間隔Ｂを等しくしたため、地面Ｇが受ける約５０％の日射量が制限される。尚、通水パイプ１０の長手方向Ｙと日周運動方向Ｄとは直交である必要はなく、下部空間Ｕ内に日照運動と共に移動する遮光領域ａと照射領域ｂが形成できれば良いため、２つの方向が交差していれば良い。【００２６】
このように、地面Ｇが受ける日射量を制限することができるため、赤道直下等の日射量が多い地域においても地面Ｇに野菜などの植物１８を栽培することができる。すなわち、地面Ｇからの水分の蒸発量及び植物１８の葉面から蒸散量を制限することで、植物栽培が可能になる。また、通水パイプ１０の下面には長手方向Ｙに沿って散水部１２が一体的に形成されているため、植物１８の栽培に必要な淡水Ｐを、必要に応じて、散水部１２から地面Ｇに自動で水撒きすることもできる。尚、淡水Ｐの散水用の散水部１２とは別に、農薬散布通路や肥料散布通路を通水パイプ１０の下面に形成し、そこから農薬や肥料等を自動散布しても良い。【００２７】
以上説明したように、地面Ｇへの日射量の制限を、予熱装置４の通水パイプ１０を利用して行い、従来のように反射ミラー１を利用することはないため、反射ミラー１を大型化する必要がなく、コスト的に有利である。また、反射ミラー１を利用する場合よりも、広範囲の地面Ｇでの植物栽培が可能となる。【００２８】
（第２実施形態）
図８は、本発明の第２実施例を示す図である。この実施形態では、通水パイプ１９を丸パイプ状にして、内面に複数のリブ２０を長手方向に沿って形成した。通水パイプ１８の表面には黒色塗装１１が施されている。この通水パイプ１９はアルミ金属による押出成形で製造される。通水パイプ１９が丸パイプ状のため、成形が容易で、コストの面で更に有利である。内面にリブ２０が形成されているため、通水パイプ１９と原水Ｗとの接触面積が増し、通水パイプ１９と原水Ｗとの熱交換が促進されて、通水パイプ１９の表面に受ける太陽熱により、内部の原水Ｗを加熱し易くなる。【００２９】
（第３実施形態）
図９は、本発明の第３実施例を示す図である。尚、本実施形態は、前記第１実施形態と同様の構成要素を備えている。よって、それら同様の構成要素については共通の符号を付すとともに、重複する説明を省略する。【００３０】
本実施例は、通水パイプ１０により下部空間Ｕが画成され、牧草などの植物２１の栽培と、それを餌とする牛やヤギなどの家畜２２の飼育をする例を示すものである。また、植物栽培や家畜飼育する地面ｇは、一般面Ｇよりも低くて、地面ｇの周囲に傾斜面２３が形成されている。【００３１】
この実施形態によれば、予熱装置４の通水パイプ１０で日射量を制限するため、先の実施形態で説明したように、牧草などの植物２１の栽培が可能であり、同時に、家畜２２が強い日射を受けることがないため、家畜２２が弱ることを防止することができ、家畜２２の飼育も可能となる。【００３２】
植物２１の栽培と、家畜２２の飼育に必要な淡水は、先の実施形態で説明した太陽熱利用装置により製造することができ、家畜２２の餌は、栽培した植物２１を利用することができるため、自給自足システムを確立できる。更に、家畜２２を飼育する地面ｇの周囲には傾斜面２３があるため、家畜２２が逃げるのを防止できる。尚、家畜２２は牛やヤギに限定されず、家禽類なども含まれる。【００３３】
（第４実施形態）
図１０〜図１４は、本発明の第４実施例を示す図である。この実施形態に係る予熱装置３０では、通水パイプ２４を簡略で安価に製造できる構造にしたものである。【００３４】
通水パイプ２４の主要部は、長手方向で同一の長方形状を有する扁平な角パイプ状のパイプ本体２５で形成されている。このパイプ本体２５は、先の実施形態と同様にアルミ金属による押出成形品である。すなわち、最初に長く形成されたパイプを必要な長さにカットしたものである。したがって、パイプ本体２５は押出成形品でなく、プレス成形品でも良い。単なる筒形状品のため安価である。パイプ本体２５の上面には黒色塗装１１が施されている。【００３５】
パイプ本体２５の両端部は単にカットされた状態のため、端末から内部空間が露出した状態になっている。そのため、パイプ本体２５の両端部にはタンク部２６がそれぞれ取付けられる。【００３６】
タンク部２６は、通常の断面円形のストレート管を所定の長さにカットしたものを基本としている。そのカットしたストレート管の両端を円形金属板である蓋２７で塞いでいる。蓋２７は溶接によりタンク部２６の両端に取付けられる。【００３７】
タンク部２６はパイプ本体２５の両端において、パイプ本体２５の幅方向に向けて配置され、そのパイプ本体２５側の側面には連結口２８が開口形成されている。この連結口２８はパイプ本体２５の断面形状に相応し、連結口２８内にパイプ本体２５の両端を差し込んだ状態で両者は溶接により結合される。【００３８】
このように通水パイプ２４は、パイプ本体２５の両端にタンク部２６がそれぞれ接合された状態で形成されている。図１０に示すように、複数の通水パイプ２４は、そのタンク部２６同士が、タンク部２６部分において互いに連通管２９により直列に連結される。そして、互いに連結された通水パイプ２４に対して、供給管１６から原水Ｗが供給される。供給管１６から供給された原水Ｗは、各通水パイプ２４において一方のタンク部２６からパイプ本体２５を通過して他方のタンク部２６に至り、そこから別の通水パイプ２４へと次々と送られる。そして最終的に排出管１７から排出される構造は先の実施形態と同様である。原水Ｗは多数の通水パイプ２４を通過する間に、通水パイプ２４の表面が受ける太陽熱（放射熱）により加熱される。【００３９】
この実施形態によれば、通水パイプ２４が、簡単な形状のパイプ本体２５及びタンク部２６から形成されているため、全体を安価に製造することができる。【００４０】
以上の第１〜図４実施形態では、反射ミラー１の集光ターゲットである太陽熱利用装置２を地面Ｇに固定し、そして、そこへ集光させるように反射ミラー１の焦点距離を長く設定し、反射ミラー１を太陽Ｓに合わせて移動させることにより、反射ミラー１で反射した太陽光Ｌを太陽熱利用装置２に集光させるようにした。さらに、例えば、反射ミラー１の焦点距離を短くし、発電や淡水製造のために必要な加熱部をその焦点位置に合致させた状態で反射ミラー１自体に支持し、集光ターゲットである加熱部を太陽Ｓに合わせて移動する反射ミラー１と一体的に動かしても良い。【００４１】
また、複数の通水パイプ１０、２４を全て直列に連結して供給管１６と排出管１７を１本の水路で結ぶ例を示したが、複数の通水パイプ１０、２４を並列に連結して供給管１６と排出管１７を複数の水路で結ぶ構成としても良い。【００４２】
また、通水パイプ１０の幅Ａと間隔Ｂを等しくて、地面Ｇ、ｇが受ける日射量を約５０％に制限する例を示したが、これに限定されず、この通水パイプ１０の幅Ａと間隔Ｂの比率による日射の制限割合は、設置される地域の日射量と、栽培する植物の種類、飼育する家畜の種類に合わせて、最適のものが選択される。【００４３】
発明の効果
本発明によれば、複数の通水パイプを幅方向に並べて予熱装置を構成し、その通水パイプ内に、太陽熱利用装置に供給される前の原水を通した。予熱装置の通水パイプには、反射ミラーで受光される以外の大量の太陽光が照射され、通水パイプの内部の原水はその太陽熱により加熱される。このように、反射ミラーの周辺に降り注ぐ太陽光を利用して、反射ミラーを利用する太陽熱利用装置に供給される前の原水を加熱するため、太陽熱利用装置では、反射ミラーで集光した太陽光により、足りない分の熱量を供給するだけで済む。そのため、太陽熱の有効利用を図ることができ、反射ミラーを増設したり、大型化する場合に比べて、コストの面で有利となる。【００４４】
また、通水パイプがパイプ本体とタンク部とから成る構造で、パイプ本体とタンク部のそれぞれが簡略な筒形状を基本したものであるため、全体を簡略で且つ安価に製造することができる。【００４５】
更に、予熱装置を構成する通水パイプが、所定間隔をあけて幅方向に複数並べられた状態で、地面から所定高さ位置に支持されているため、地面には、通水パイプにより太陽光が遮られる遮光領域と、通水パイプの間の所定間隔を通過した太陽光により照らされる照射領域が形成される。しかも、その通水パイプの長手方向が太陽の日周運動方向と相違しているため、地面に形成される遮光領域と照射領域は太陽の移動に伴って移動する。従って、地面が受ける日射量を均一の制御することができ、地面からの水分の蒸発量及び植物の葉面から蒸散量を制限することで、植物栽培が可能になり、また、家畜が強い日射を避けることができるため、家畜の飼育も可能となる。太陽熱により製造した淡水を、植物栽培や家畜飼育に用いれば、更に好適である。植物栽培や家畜飼育をする場合も、反射ミラーを大型化する必要がなく、予熱装置の通水パイプを利用して行うことができるため、コスト的に有利であると共に、地面における日射量の制限を均一に行うことができるため、植物栽培及び家畜飼育にとって好適である。【００４６】
更に、予熱装置の通水パイプにより地面に遮光領域及び照射領域が形成されるため、砂漠地帯など日射量が多い地帯でも、日射量を制限することができ、植物栽培が可能となる。従来のように反射ミラーで遮光領域と照射領域を形成する場合に比べて、地面における日射量の制限を均一に行うことができるため、植物栽培とって好適である。【００４７】
更に、地面の上方に位置する通水パイプの下面に、淡水を地面に撒く散水部を設けたため、その散水部から植物栽培に必要な水を地面に供給することができ、散水作業が容易になる。【００４８】
更に、予熱装置の通水パイプにより地面に遮光領域及び照射領域が形成されるため、砂漠地帯など日射量が多い地帯でも、日射量を制限することができ、家畜飼育が可能となる。従来のように反射ミラーで遮光領域と照射領域を形成する場合に比べて、地面における日射量の制限を均一に行うことができるため、家畜の飼育が可能となる。【００４９】
更に、通水パイプの下方の地面で栽培した植物を餌にして家畜を飼育するため、家畜への餌の供給が不要となり、自給自足システムを確立できる。【００５０】
（米国指定）
本国際特許出願は米国指定に関し、２００７年１０月１日に出願された日本国特許出願第２００７−２５７８１７号（２００７年１０月１日出願）について米国特許法第１１９条（ａ）に基づく優先権の利益を援用し、当該開示内容を引用する。
【図１】
2009044623.tif 000003
【図２】
2009044623.tif 000004
【図３】
2009044623.tif 000005
【図４】
2009044623.tif 000006
【図５】
2009044623.tif 000007
【図６】
2009044623.tif 000008
【図７】
2009044623.tif 000009
【図８】
2009044623.tif 000010
【図９】
2009044623.tif 000011
【図１０】
2009044623.tif 000012
【図１１】
2009044623.tif 000013
【図１２】
2009044623.tif 000014
【図１３】
2009044623.tif 000015
【図１４】
2009044623.tif 000016
【国際調査報告】
2009044623.tif 000017
2009044623.tif 000018
2009044623.tif 000019
2009044623.tif 000020